(57)【要約】【課題】操作が簡単で且つ上下方向において調光等の変化をさせることができる縦型ブラインドとする。【解決手段】ヘッドレール１０内を移動可能に配列された複数のキャリアの各々からルーバー１４を吊下げた縦型ブラインドにおいて、前記ヘッドレール１０に沿って開閉可能である共に、閉じたときに前記ルーバー１４の上部付近を覆い隠すスクリーン２２を設ける。【選択図】　図１
2004019183.tif 000002
【特許請求の範囲】
【請求項１】
ヘッドレール（１０）内を移動可能に配列された複数のキャリア（１２）の各々からルーバー（１４）を吊下げた縦型ブラインドにおいて、
前記ヘッドレール（１０）に沿って開閉可能である共に、閉じたときに前記ルーバー（１４）の上部付近を覆い隠すスクリーン（２２）を設けたことを特徴とする縦型ブラインド。
【請求項２】
前記ルーバー（１４）は、上部（１４ａ）が半透明部で、下部（１４ｂ）が不透明部で構成されることを特徴とする請求項１記載の縦型ブラインド。
【請求項３】
前記ルーバー（１４）は、上部（１４ａ）が空間部で、下部（１４ｂ）が半透明部または不透明部で構成されることを特徴とする請求項１記載の縦型ブラインド。
【発明の詳細な説明】
【０００１】
【発明の属する技術分野】
本発明は、縦型ブラインドに関する。
【０００２】
【従来の技術】
従来の縦型ブラインドは、ヘッドレール内を移動可能に配列された複数のキャリアの各々からルーバーを吊下げており、キャリアを片側に移動させて全キャリアを集中させてルーバーを片側に畳み込むことにより、縦型ブラインドが設定された開口を全開することができ、また、キャリアを反対側に移動させて全キャリアをヘッドレール内で分散させてルーバーを展張させることにより、縦型ブラインドが設定された開口を全閉することができ、さらに、各ルーバーを鉛直軸の回りで回転させることにより、その開口から採り入れる光量を調整することができる、というものである。
【０００３】
しかしながら、このような従来の縦型ブラインドでは、ルーバーが鉛直軸の回りを回転するだけであるので、その変化に乏しく、また、上下方向に調光を行うことはできないという問題がある。
【０００４】
これに対して、特開平１０−２８０８４０号公報に記載の縦型ブラインドは、上下方向に採光部分と遮光部分とを選択することを可能にするブラインドを目的として、ルーバーを上下方向に複数のグループに分割し、異なるグループの分割ルーバー同士をジョイントで互いに回転可能に連結しており、各グループ毎に分割したルーバーを独立に回転可能に構成している。この構成によれば、ルーバーを上下で互いに異なる角度に調節することができるため、下部のルーバーを閉状態に回転し、上部のルーバーのみを開状態に回転して、下方からの視線を遮りながら上方から採光を行う効果が期待できる。
【０００５】
【発明が解決しようとする課題】
しかしながら、かかる公報による縦型ブラインドでは、上部のルーバーのみを回転させるには、下部のルーバーの下端に取り付けられたバランスウエイト同士をボトムコードで連結し、ボトムコードの延長線上にフックを設けて、該フックを壁面に固定することによって、下部のルーバーを回転不能に固定することが必要となる。または、上部のルーバー及び下部のルーバーを両方とも回転させるには、フックの壁面への固定を解除することによって、下部のルーバーの回転可能として、下部のルーバーと上部のルーバーとを一体に回転できるようにしており、フックを壁面に固定する作業等が必要となり、操作が煩わしいという問題がある。
【０００６】
本発明はかかる課題に鑑みなされたもので、操作が簡単で且つ上下方向において変化させることができる縦型ブラインドを提供することをその目的とする。
【０００７】
【課題を解決するための手段】
前述した目的を達成するために、本発明は、ヘッドレール内を移動可能に配列された複数のキャリアの各々からルーバーを吊下げた縦型ブラインドにおいて、前記ヘッドレールに沿って開閉可能である共に、閉じたときに前記ルーバーの上部付近を覆い隠すスクリーンを設けたことを特徴とする。
【０００８】
ルーバーの動作とは独立に、スクリーンをヘッドレールに沿って開閉することにより、スクリーンを閉めたときには、ルーバーの上部を覆い隠すことができ、スクリーンを開いたときには、ルーバーの上部を露出させることができる。よって、例えば、ルーバーの上部が露出された状態におけるブラインドの光の透過状態と、スクリーンを閉めてルーバーの上部が覆い隠された状態におけるブラインドの光の透過状態とでは、異なるようにすることができ、結果として、ブラインド全体としてその上下方向において光の透過率の変化をさせることができる。または、光の透過率を特に問題としてないような場合であっても、スクリーンの模様、色、柄等によって、スクリーンを閉めた場合と開いた場合で、上下方向において、意匠の変化をさせることができる。スクリーンを閉めた場合には、スクリーンにバランスとしての機能を持たせることもできる。こうして、変化に富んだ縦型ブラインドとすることができる。スクリーンは、ヘッドレールに沿って移動させるだけでよいので、簡単に操作することができる。
【０００９】
また、請求項２記載の発明は、前記ルーバーは、上部が半透明部で、下部が不透明部で構成されることを特徴とする。ルーバーの上部の光の透過率が高く、ルーバーの下部の光の透過率が低くなっているので、スクリーンを開いているときには、ルーバーの上部から多くの光を採り入れることができ、ルーバーの下部は遮光することができ、スクリーンを閉めたときには、ルーバーの上部の透過率を下げて、ブラインド全体として遮光することができる。
【００１０】
また、請求項３記載の発明は、前記ルーバーは、上部が空間部で、下部が半透明部または不透明部で構成されることを特徴とする。ルーバーの上部の光の透過率が１００％、ルーバーの下部の光の透過率が１００％よりも低くなっているので、スクリーンを開いているときには、ルーバーの上部から多くの光を採り入れることができ、ルーバーの下部は遮蔽することができ、スクリーンを閉めたときには、ルーバーの上部の透過率を下げて、ブラインド全体として遮光することができる。
【００１１】
【発明の実施の形態】
以下、図面を用いて本発明の実施の形態を説明する。
【００１２】
図１は、本発明の実施形態に係る縦型ブラインドを表す正面図、図２はその斜視図である。縦型ブラインドは、窓枠等に固定されるヘッドレール１０を有しており、ヘッドレール１０は、図３に示すように、底面中央部が長手方向に開口され、ヘッドレール１０内には、主として、第１レール部１０ａと第２レール部１０ｂとが並行に区画形成されており、第１レール部１０ａを長手方向をスライド可能に複数のキャリア１２が配列され、第２レール部１０ｂを長手方向にスライド可能に複数のランナー２０（後述）が配列されている。複数のキャリア１２の中で先頭にあるキャリアがマスタキャリア１２Ａとなっている。そして、各キャリア１２には、フック１３を介してルーバー１４が吊下げられている。また、隣接するキャリア１２同士は、スペーサによって決まる所定間隔を最大間隔として離間または接近可能に、マスタキャリア１２Ａを先頭にして連結されている。
【００１３】
ヘッドレール１０内には、キャリア１２を移動させるキャリア移動機構と、ルーバー１４を回転させるルーバー回転機構とが配設される。これらの機構は公知の任意の機構を採用することができるが、この実施形態では、キャリア移動機構は、マスタキャリア１２Ａに連結された開閉コード１８から構成される。即ち、開閉コード１８の一端はマスタキャリア１２Ａに連結され、開閉コード１８の他端側は、ヘッドレール１０内を、ヘッドレール１０の一端部にあるコントロールユニット１０ｃへと導かれて、コントロールユニット１０ｃから一旦、導出された後、再びヘッドレール１０内を、ヘッドレール１０の他端部にあるエンドカバー１０ｄへと導かれて、エンドカバー１０ｄで折り返されて、ヘッドレール１０内を導かれて、他端がマスタキャリア１２Ａに連結されている。よって、コントロールユニット１０ｃから導出された開閉コード１８を一方に引くと、マスタキャリア１２Ａが開閉コード１８に牽引されて、ヘッドレール１０内をいずれか一方へ移動し、開閉コード１８を他方に引くと、マスタキャリア１２Ａが開閉コード１８に牽引されて、ヘッドレール１０内をいずれか他方へ移動するようになっている。また、後続のキャリア１２も、マスタキャリア１２Ａの移動に応じて、スペーサを介して次々と牽引されていき、または、マスタキャリア１２Ａによって押出されていき、マスタキャリア１２Ａと同じ方向へと移動することができるようになっている。
【００１４】
ルーバー回転機構は、この実施形態では、ヘッドレール１０内で回転可能に軸支されたチルトロッド２４（図３参照）と、コントロールユニット１０ｃ内に配設されチルトロッド２４に傘歯車等のギヤを介して連結されて、ヘッドレール１０の一端から垂下される操作ロッド２６とから構成されており、各キャリア１２には、チルトロッド２４と噛み合う回転伝達機構が内設されている。回転伝達機構は、チルトロッド２４の回転をキャリア１２のフック１３に伝達する。操作ロッド２６を操作して回転させると、チルトロッド２４に回転が伝達して、これにより、キャリア１２の回転伝達機構を介して各キャリア１２のフック１３が回転して、ルーバー１４が回転することができるようになっている。
【００１５】
各ルーバー１４は、その上端部に前記フック１３に掛り止めされるルーバーフック１５が取り付けられ、下端部にバランスウエイト１６が取り付けられている。ルーバー１４は、上下方向において光の透過率が異なっており、その上部１４ａが光の透過率の高い半透明生地、その下部１４ｂが光の透過率の低い不透明生地でなる２枚の生地で構成される。または、図９に示したように、ルーバー１４の上部１４ａを生地で構成する代わりに単なる空間部として、光の透過率を１００％にすることもできる。この場合には、ルーバーフック１５の両端からスペーサ１４ｃが吊下げられており、スペーサ１４ｃがルーバーフック１５と共に空間部である上部１４ａを画成し、スペーサ１４ｃの下端部から光の透過率の低い不透明生地が取り付けられていると良い。ルーバーフック１５及びスペーサ１４ｃは、生地よりも高い剛性で連結されていることが望ましく、これによりルーバーフック１５がスペーサ１４ｃを介してルーバーフック１５の回転が下部１４ｂへ確実に伝達されるようになっていると良い。
【００１６】
前述のように、ヘッドレール１０の前記第２レール部１０ｂには、複数のランナー２０が長手方向にスライド可能に配列されている。各ランナー２０は、略Ｌ字状の形状をなし、第２レール部１０ｂの下方からヘッドレール１０よりも前側に突出して、上側に伸びる先端には、スクリーン２２の上端が引っ掛けられている。スクリーン２２は、ルーバー１４の下部１４ｂ同様に光の透過率が低い不透明生地で構成されており、ルーバー１４の下部１４ｂと全く同じ生地で構成しても良いし、または下部１４ｂとは異なる生地として、下部１４ｂの生地とコーディネートされた生地でも良い。さらには、ルーバー１４の上部１４ａが複数枚重なり合わされると光の透過率が変化する生地である場合には、ルーバー１４の上部１４ａと同じ生地で構成しても良い。スクリーン２２の長さは、ルーバー１４の上部１４ａの長さとほぼ同じかそれよりもやや長く、ルーバー１４の上部１４ａを覆い隠すことが出来る程度のものとなっている。
【００１７】
以上のように構成される縦型ブラインドにおいて、図１及び図２に示す状態は、ヘッドレール１０内において、マスタキャリア１２Ａがヘッドレール１０の一端側にあり、且つキャリア１２が互いに間隔をおいて分散された状態であり、よってルーバー１４は展張された状態にある。そして、スクリーン２２は、ヘッドレール１０の他端側で畳み込まれた状態にある。従って、この状態においては、ルーバー１４の上部１４ａから光を採り入れることができる一方で、ルーバー１４の下部１４ｂでは光を遮蔽している。よって、ブラインドの上部を開放して、下部の視線を遮ることができる。
【００１８】
この状態から、光をより遮蔽したいときには、スクリーン２２を引っ張り、そのランナー２０をヘッドレール１０に沿って移動させて、スクリーン２２を閉めると、図４及び図５に示すように、ルーバー１４の上部１４ａがスクリーン２２によって覆い隠され、ブラインド全体として光の透過を抑えることができる。また、それだけでなく、図１及び図２から図４及び図５の変化によって、ブラインド全体の意匠が変化するので、意匠の変化を楽しむことができる。複数のルーバー１４の手前にあるスクリーン２２が複数のルーバー１４の上部を覆い隠して、所謂バランスとしての役割も果たすことになり、意匠的にも優れたものとなる。ルーバー１４の生地とスクリーン２２の生地の組合せによって、意匠の変化をさらに楽しむことができる。
【００１９】
また、図１及び図２の状態から、ヘッドレール１０の一端から垂下される操作ロッド２６を操作して回転させると、前述のルーバー回転機構の動作により、図６に示すように、全ルーバー１４が回転するので、上下方向一同に、光を採り入れることができ、そのルーバー１４の回転角度に応じて、その光量を調整することができる。
【００２０】
さらには、図１及び図２の状態から、ヘッドレール１０の一端から導出される開閉コード１８を操作して、マスタキャリア１２Ａをヘッドレール１０の反対側の端部に向かって移動させると、前記キャリア移動機構の動作により、図７に示すように、全キャリア１２がヘッドレール１０の端部に集まり、ルーバー１４は畳み込まれるので、開口は開放されて、完全に光を透過することができる。
【００２１】
図７に示す状態から、図８のようにスクリーン２２だけを閉めて、暖簾のように使用することもできる。
【００２２】
以上のように、ブラインドの意匠性が向上し、使用のバリエーションを広げることができる。また、スクリーン２２の開閉は、通常のカーテンと同様であり、操作が簡単で分かりやすい。
【００２３】
また、ランナー２０の走行するヘッドレール１０の第２レール部１０ｂは、ヘッドレール１０内で第１レール部１０ａと区画されて形成されているために、第２レール部１０ｂが目立つことなく、見栄えを良好に保つことができる。
【００２４】
【発明の効果】
以上説明したように本発明によれば、スクリーンを開いた状態と閉じた状態で、ブラインド全体として、光の透過率または意匠を上下方向に変化させることができて、変化に富んだ縦型ブラインドとすることができる。スクリーンをヘッドレールに沿って移動させるだけで変化させることができるので、簡単に操作することができる。
【図面の簡単な説明】
【図１】本発明の実施形態に係る縦型ブラインドを表す正面図であり、ルーバーが展開し、スクリーンが開いた状態を表す。
【図２】図１の斜視図である。
【図３】ヘッドレール及びルーバーの上部付近を表す縦型ブラインドの部分横断面図である。
【図４】本発明の実施形態に係る縦型ブラインドを表す正面図であり、ルーバーが展開し、スクリーンが閉じた状態を表す。
【図５】図４の斜視図である。
【図６】本発明の実施形態に係る縦型ブラインドを表す斜視図であり、ルーバーが展開し回転して、スクリーンが開いた状態を表す。
【図７】本発明の実施形態に係る縦型ブラインドを表す正面図であり、ルーバーが畳み込まれ、スクリーンが開いた状態を表す。
【図８】本発明の実施形態に係る縦型ブラインドを表す正面図であり、ルーバーが畳み込まれ、スクリーンが閉じた状態を表す。
【図９】ルーバーの他の例を表す図３相当図である。
【符号の説明】
１０　ヘッドレール
１２　キャリア
１４　ルーバー
１４ａ　上部
１４ｂ　下部
２２　スクリーン
【図１】
2004019183.tif 000003
【図２】
2004019183.tif 000004
【図３】
2004019183.tif 000005
【図４】
2004019183.tif 000006
【図５】
2004019183.tif 000007
【図６】
2004019183.tif 000008
【図７】
2004019183.tif 000009
【図８】
2004019183.tif 000010
【図９】
2004019183.tif 000011